(57)【要約】【課題】圧縮機の圧力制御において圧縮ガスの圧送先のガス圧力が変動する場合でも省エネルギー化を図れ、かつ圧縮機の応答性を向上させることができる圧縮機の圧力制御方法を提供することにある。【解決手段】圧縮機により圧縮したガスの圧送先のガス圧力が変動する場合における圧縮機の圧力制御を行うに際し、前記圧送先のガス圧力の変動に応じて圧縮機の圧力制御の目標設定値を変更し、前記目標設定値は、前記圧送先のガス圧力に所定の加算設定値を加算して得た基本設定値に、前記基本設定値と圧力制御の目標地点のプロセス圧力との差に所定の乗算係数値を乗算して得た付加設定値を加算することで求めた値に基づくものとする圧力制御方法である。【選択図】図１
2020143641.tif 000002
【特許請求の範囲】
【請求項１】
圧縮機により圧縮したガスの圧送先のガス圧力が変動する場合における圧縮機の圧力制御を行うに際し、
前記圧送先のガス圧力の変動に応じて圧縮機の圧力制御の目標設定値を変更し、
前記目標設定値は、前記圧送先のガス圧力に所定の加算設定値を加算して得た基本設定値に、前記基本設定値と圧力制御の目標地点のプロセス圧力との差に所定の乗算係数値を乗算して得た付加設定値を加算することで求めた値に基づくものとすることを特徴とする圧縮機の圧力制御方法。
【請求項２】
前記圧送先のガス圧力に所定の加算設定値を加算して基本設定値を得るとともに、その基本設定値に、前記基本設定値と圧力制御の目標地点のプロセス圧力との差に所定の乗算係数値を乗算して得た付加設定値を加算することは、以下の式（１）の計算を行うものであることを特徴とする、請求項１記載の圧縮機の圧力制御方法。
ＳＰ  ＝  （Ｐ２＋α）＋（（（Ｐ２＋α）−Ｐ１）×β）  ・・・（１）
ここに、
ＳＰ：圧縮機の圧力制御の目標設定値
Ｐ１：圧縮機の圧力制御の目標地点のプロセス圧力
Ｐ２：圧送先のガス圧力
Ｐ２＋α：基本設定値
（（Ｐ２＋α）−Ｐ１）×β：付加設定値
α：加算設定値（設定可変の固定値）
β：乗算係数値（設定可変の固定値）
である。
【請求項３】
前記目標設定値の変更に不感帯を設けることを特徴とする、請求項１または２記載の圧縮機の圧力制御方法。
【請求項４】
前記目標設定値の変更に上下限を設けることを特徴とする、請求項１から３までの何れか１項記載の圧縮機の圧力制御方法。
【請求項５】
圧縮機により圧縮したガスの圧送先のガス圧力が変動する場合における圧縮機の圧力制御を行う圧力制御装置において、
前記圧送先のガス圧力を検出する圧送先ガス圧力検出手段と、
圧力制御の目標地点のプロセス圧力を検出するプロセス圧力検出手段と、
前記圧送先ガス圧力手段が検出した前記圧送先のガス圧力の変動に応じて圧縮機の圧力制御の目標設定値を変更し、前記目標設定値は、前記圧送先のガス圧力に所定の加算設定値を加算して基本設定値を得るとともに、その基本設定値に、前記基本設定値と前記プロセス圧力検出手段が検出した前記圧力制御の目標地点のプロセス圧力との差に所定の乗算係数値を乗算して得た付加設定値を加算することで求めた値に基づくものとする目標設定値変更手段と、
前記変更した目標設定値に応じて前記圧縮機の圧力制御を行う圧力制御手段と、
を具えることを特徴とする圧縮機の圧力制御装置。
【発明の詳細な説明】
【技術分野】
【０００１】
本発明は、圧縮機により圧縮したガスの圧送先のガス圧力が変動する場合における圧縮機の圧力制御方法および圧力制御装置に関するものである。
【背景技術】
【０００２】
一般的に、ガス圧送設備は、圧送先の負荷の変動によって供給ガス圧力が変化しないように圧力制御を行い、供給ガス圧力を一定に保つ必要があることが知られており、そのための制御方法として、圧縮機のインバータ制御（特許文献１参照）や、圧縮機の台数制御（特許文献２参照）等、多くの先行技術がある。
【０００３】
また、それらの制御方法として、圧送先へのガス供給流量の検出結果に応じた組み合わせパターンによる圧縮機の台数制御（特許文献３参照）や、圧送先へのガス供給配管の管路抵抗を算出してその結果に基づき圧力制御の目標設定値を変更する制御（特許文献４参照）、圧縮機の吐出圧力と圧力制御の目標地点のプロセス圧力の差から圧力損失を算出してその結果に基づき圧力制御の目標設定値を変更する制御（特許文献５参照）等、省エネルギーを図ることができかつ圧力制御の目標地点のプロセス圧力を制御領域内に維持できるように様々な提案がなされている。
【先行技術文献】
【特許文献】
【０００４】
【特許文献１】特開２０００−３２０４６７号公報
【特許文献２】特開昭５８−１２７２１６号公報
【特許文献３】特開平０６−２４９１５１号公報
【特許文献４】特開昭６１−２０１９００号公報
【特許文献５】特開２００９−０１３９６１号公報
【発明の概要】
【発明が解決しようとする課題】
【０００５】
ところで、圧縮機の圧力制御は通常、圧力制御の目標地点のプロセス圧力が変化し、圧力制御の目標設定値と差が生じると、周知技術であるＰＩＤ（比例・積分・微分）制御でモータ用インバータや吐出弁開度を制御することで圧縮機の吐出流量を制御する。例えば図６は、従来のガス圧送設備の一例を示しており、このガス圧送設備は、ガス圧送配管１の一端側に圧縮機（ＣＭＰ）２と吐出弁３とを直列に具えるとともにそのガス圧送配管１の他端側の圧力制御目標地点に圧力計４を具え、その圧力計４で測定するプロセス圧力Ｐ１が別途与えられた圧力制御の目標設定値ＳＰに近づくように圧力指示調節計（ＰＩＣ）５が、吐出弁３の開度を制御するとともにインバータ（ＩＮＶ）６を介して圧縮機２の駆動モータの作動を制御し、さらにガス圧送配管１の他端側に流量計７と吐出弁８とを直列に具え、その流量計７で測定するガス流量に基づいて流量指示調節計（ＦＩＣ）９が吐出弁８の開度を制御して、ガス圧送配管１から圧送先である混合ガスライン（ＭＧＬ）１０へのガス流量を調節し、その混合ガスライン１０のガス圧力Ｐ２を圧力計１１で測定するとともに、その混合ガスライン１０から工場等の各使用先（ＵＳＲ）１２へ混合ガスを供給する。
【０００６】
この図６に示すようなガス圧送設備の構成の場合、特許文献４記載の制御では、圧送先である混合ガスライン１０へのガス流量を増やすと、圧力制御目標地点のプロセス圧力Ｐ１が下がり、それに対して圧縮機２の吐出流量を増やすことでプロセス圧力Ｐ１を目標設定値ＳＰに保ち、また、圧送先である混合ガスライン１０へのガス流量を減らすと、圧力制御目標地点のプロセス圧力Ｐ１が上がり、それに対して圧縮機２の吐出流量を減らすことで目標地点のプロセス圧力Ｐ１を目標設定値ＳＰに保つようにする。
【０００７】
しかしながら、圧送先のガス圧力が変動する場合、圧縮機の圧力制御の目標設定値は、その圧送先のガス圧力の変動を考慮した上で、常に圧送先のガス圧力より高い値となるように設定しなければならない。このことは、圧縮機の吐出圧力と圧力制御目標地点のプロセス圧力の差から圧力損失を算出して圧力制御の目標設定値を変更する特許文献５記載の制御においても同様で、基本となる目標設定値は常に圧送先のガス圧力より高い値としなければならない。よって、圧送先のガス圧力が下がっている場合でも圧縮機は必要以上にガスを昇圧していることになり、適切な省エネルギー運転を行っているとは言えない。また、圧送先へのガス流量を増減させることによって圧力制御目標地点のプロセス圧力が下降あるいは上昇してから圧縮機が吐出流量を増減させるので、圧力制御に時間を要し、応答性が良くないという問題がある。
【０００８】
そして、圧送先へのガス流量の検出結果に応じて圧力損失を計算し、圧力制御の目標設定値を変更する特許文献４記載の制御においては、圧力制御目標地点のプロセス圧力が最小になるようにされているが、圧送先へのガス流量の検出を圧力制御に組み込んでいるため実施面でコストがかかるという問題がある。
【０００９】
さらに、特許文献４，５記載の制御方法においては何れも、配管構成が変わった場合にその都度圧力損失の算出式を見直す必要があるという問題がある。
【００１０】
それゆえ本発明は、前記従来技術の課題を有利に解決し、圧縮機の圧力制御において圧縮ガスの圧送先のガス圧力が変動する場合でも省エネルギー化を図ることができ、かつ圧縮機の応答性を向上させることができる圧縮機の圧力制御方法および圧力制御装置を提供することを目的とする。
【課題を解決するための手段】
【００１１】
前記目的を達成する本発明の圧縮機の圧力制御方法は、
圧縮機により圧縮したガスの圧送先のガス圧力が変動する場合における圧縮機の圧力制御を行うに際し、
圧縮ガスの圧送先のガス圧力の変動に応じて圧縮機の圧力制御の目標設定値を変更し、
前記目標設定値は、前記圧送先のガス圧力に所定の加算設定値を加算して基本設定値を得るとともに、その基本設定値に、前記基本設定値と圧力制御の目標地点のプロセス圧力との差に所定の乗算係数値を乗算して得た付加設定値を加算することで求めた値に基づくものとすること、
を特徴としている。
【００１２】
また、前記目的を達成する本発明の圧縮機の圧力制御装置は、
圧縮機により圧縮したガスの圧送先のガス圧力が変動する場合における圧縮機の圧力制御を行う圧力制御装置において、
前記圧送先のガス圧力を検出する圧送先ガス圧力検出手段と、
圧力制御の目標地点のプロセス圧力を検出するプロセス圧力検出手段と、
前記圧送先ガス圧力手段が検出した前記圧送先のガス圧力の変動に応じて圧縮機の圧力制御の目標設定値を変更し、前記目標設定値は、前記圧送先のガス圧力に所定の加算設定値を加算して基本設定値を得るとともに、その基本設定値に、前記基本設定値と前記プロセス圧力検出手段が検出した前記圧力制御の目標地点のプロセス圧力との差に所定の乗算係数値を乗算して得た付加設定値を加算することで求めた値に基づくものとする目標設定値変更手段と、
前記変更した目標設定値に応じて前記圧縮機の圧力制御を行う圧力制御手段と、
を具えることを特徴としている。
【００１３】
前記圧送先のガス圧力に所定の加算設定値を加算して基本設定値を得るとともに、その基本設定値に、前記基本設定値と前記圧力制御の目標地点のプロセス圧力との差に所定の乗算係数値を乗算して得た付加設定値を加算することは、以下の式（１）の計算を行うものである。
ＳＰ  ＝  （Ｐ２＋α）＋（（（Ｐ２＋α）−Ｐ１）×β）  ・・・（１）
ここに、
ＳＰ：圧縮機の圧力制御の目標設定値
Ｐ１：圧縮機の圧力制御の目標地点のプロセス圧力
Ｐ２：圧送先のガス圧力
Ｐ２＋α：基本設定値
（（Ｐ２＋α）−Ｐ１）×β：付加設定値
α：加算設定値（設定可変の固定値）
β：乗算係数値（設定可変の固定値）
である。
【発明の効果】
【００１４】
本発明の圧縮機の圧力制御方法および圧力制御装置によれば、圧縮機の圧力制御において、圧送先のガス圧力が変動する場合に、その圧送先のガス圧力の変動に応じて、常に圧送先のガス圧力に加算設定値αを加算した値を圧縮機の圧力制御の基本設定値とし、その基本設定値に基づき目標設定値を常時変更することで、圧縮機によるガスの昇圧を最小限にすることができ、省エネルギー化を図ることができる。
【００１５】
また、圧送先のガス圧力に加算設定値αを加算した値と圧縮機の圧力制御の目標地点のプロセス圧力との差にβをかけた値を付加設定値とし、基本設定値にその付加設定値を加算した値に基づいて圧縮機の圧力制御の目標設定値を変更することで、圧力制御の目標地点のプロセス圧力と目標設定値との差が一時的に大きくなり、圧縮機の圧力制御の応答性を向上させることができる。
【００１６】
この制御においては、圧力制御の目標地点のプロセス圧力＞目標設定値となった場合に、より早く圧縮機によるガスの昇圧を小さくすることができ、この点でも省エネルギー化を図ることができるという効果がある。また、圧送先へのガス流量計を設置してガス流量を圧力制御に取り込む必要がないのでガス圧送設備の低廉化も図ることができ、さらに、配管構成が変わった場合においてもその都度圧力損失の算出式を見直す必要がない。
【００１７】
例えば、バッチ的に発生する製鋼プロセスの吹錬中に発生する可燃性副生ガスを回収しているガスホルダー内のガスを圧縮機が圧縮して使用先に圧送するようなガス圧送設備の場合、圧縮機の応答性が向上することで、ホルダーレベルが高くて可燃性副生ガスをガスホルダーで回収できない場合でも圧縮機がより早く多くの圧縮ガスを払い出すことができ、これにより可燃性副生ガスを放散させる効果を期待することができる。
【００１８】
なお、制御におけるハンチングを防止するために、前記目標設定値の変更に不感帯を設けても良く、また、設備能力の限界を超えた値にならないようにするために、前記目標設定値の変更に上下限を設けても良い。
【図面の簡単な説明】
【００１９】
【図１】本発明の圧縮機の圧力制御方法の一実施形態を適用した、本発明の圧縮機の圧力制御装置の一実施形態を具えるガス圧送設備の構成を示す略線図である。
【図２】上記実施形態の圧力制御装置における、上記実施形態の圧力制御方法の手順を示すブロック線図である。
【図３】上記実施形態の圧力制御方法における時間経過に伴う目標設定値の変更の不感帯および上下限を示す特性線図である。
【図４】上記実施形態の圧力制御方法の比較例における時間経過に伴う圧縮機の吐出流量、圧力制御の目標設定値、圧力制御の目標地点のプロセス圧力および混入先ガス圧力の推移を示すトレンドグラフである。
【図５】上記実施形態の圧力制御方法の実施例における時間経過に伴う圧縮機の吐出流量、圧力制御の目標設定値、圧力制御の目標地点のプロセス圧力および混入先ガス圧力の推移を示すトレンドグラフである。
【図６】従来の圧縮機の圧力制御装置を具えるガス圧送設備の構成例を示す略線図である。
【発明を実施するための形態】
【００２０】
以下、この発明の実施の形態を図面に基づく実施例によって詳細に説明する。ここに、図１は、本発明の圧縮機の圧力制御方法の一実施形態を適用した、本発明の圧縮機の圧力制御装置の一実施形態の構成を示す略線図であり、図１中、先の図６におけると同様の部分はそれと同一の符号にて示す。
【００２１】
すなわち、この実施形態の圧縮機の圧力制御装置を具えるこのガス圧送設備は、ガス圧送配管１の一端側に圧縮機（ＣＭＰ）２と吐出弁３を直列に具えるとともにそのガス圧送配管１の他端側の圧力制御目標地点にプロセス圧力検出手段としての圧力計４を具え、その圧力計４で測定するプロセス圧力Ｐ１が別途与えられた圧力制御の目標設定値ＳＰに近づくように圧力制御手段としての圧力指示調節計（ＰＩＣ）５が吐出弁３の開度を制御するとともにインバータ（ＩＮＶ）６を介して圧縮機２の駆動モータの作動を制御し、さらにガス圧送配管１の他端側に流量計７と吐出弁８を直列に具え、その流量計７で測定するガス流量に基づいて流量指示調節計（ＦＩＣ）９が吐出弁８の開度を制御して、ガス圧送配管１から圧送先である混合ガスライン（ＭＧＬ）１０へのガス流量を調節し、その混合ガスライン１０のガス圧力Ｐ２を圧送先ガス圧力検出手段としての圧力計１１で測定するとともに、その混合ガスライン１０から工場等の各使用先（ＵＳＲ）１２へ混合ガスを供給する。
【００２２】
さらに、この実施形態の圧力制御装置は、目標設定値変更手段としての通常のコンピュータ１３を具え、このコンピュータ１３は、中央処理ユニット（ＣＰＵ）、メモリおよびハードディスクドライブ装置等の記憶手段、キーボードおよびディスプレイ装置等の入出力装置並びに、それらの入出力装置とＣＰＵとを繋ぐ入出力インターフェースを有する通常のものであり、基本的には、あらかじめ与えられたプログラムに基づき作動して、圧力計４で測定するプロセス圧力Ｐ１および圧力計１１で測定する混合先（圧送先）のガス圧力Ｐ２を入力されるとともに、加算設定値（設定可変の固定値）αと乗算係数値（設定可変の固定値）βとを入力され、それらプロセス圧力Ｐ１，混合先のガス圧力Ｐ２，加算設定値αおよび乗算係数値βに基づいて、図１に示すように、以下の式（１）により圧縮機の圧力制御の目標設定値ＳＰを演算し、圧力指示調節計５に与える圧力制御の目標設定値ＳＰをその演算で求めた値に変更する。
【００２３】
【数１】
2020143641.tif 000003
ここに、
ＳＰ：圧縮機２の圧力制御の目標設定値（ｋＰａ）
Ｐ１：圧縮機２の圧力制御の目標地点のプロセス圧力（ｋＰａ）
Ｐ２：混合ガスライン１０（圧送先）のガス圧力（ｋＰａ）
Ｐ２＋α：基本設定値
（（Ｐ２＋α）−Ｐ１）×β：付加設定値
α：加算設定値（設定可変の固定値）（ｋＰａ）
β：乗算係数値（設定可変の固定値）
である。
【００２４】
図１に示す構成の圧送設備の圧縮機２の圧力制御において、混入先の混合ガスライン１０のガス圧力Ｐ２が変動する場合に、この実施形態の圧力制御装置によれば、そのガス圧力Ｐ２の変動に応じて、常に混入先の混合ガスライン１０のガス圧力Ｐ２に加算設定値αを加算した値である基本設定値（Ｐ２＋α）を圧縮機２の圧力制御の目標設定値ＳＰに用いて目標設定値ＳＰを常時変更することで、圧縮機２によるガス圧送配管１内のガスの昇圧を最小限にすることができ、省エネルギー化が図れるようになる。なお、加算設定値αの値は、運用の中で調整することができるようにするため、設定可変とすることが好ましく、例えばα≧０を設定可能とすることが好ましい。
【００２５】
さらに、この実施形態の圧力制御装置によれば、混合ガスライン１０のガス圧力Ｐ２に加算設定値αを加算した基本設定値（Ｐ２＋α）と、圧縮機２の圧力制御の目標地点のプロセス圧力Ｐ１との差（（Ｐ２＋α）−Ｐ１）に乗算係数値βをかけた値である付加設定値（（（Ｐ２＋α）−Ｐ１）×β）を、基本設定値（Ｐ２＋α）に加えて圧縮機２の圧力制御の目標設定値ＳＰに用いることによって、圧力制御の目標地点のプロセス圧力Ｐ１と圧縮機２の圧力制御の目標設定値ＳＰとの差が大きくなるので、圧力制御の応答性を向上させることができる。なお、乗算係数値βの値は、運用の中で調整することができるようにするため、設定可変とすることが好まく、例えばβ≧０を設定可能とすることが好ましい。
【００２６】
図２は、上記実施形態の圧力制御装置における、上記実施形態の圧力制御方法の手順を示すブロック線図であり、この実施形態の圧力制御装置ではさらに、混合ガスライン１０のガス圧力Ｐ２にαを加算した基本設定値（Ｐ２＋α）と、圧縮機２の圧力制御の目標地点のプロセス圧力Ｐ１との差に圧縮機２やインバータ６等の設備故障を防ぐため乗算係数値βをかけた値である付加設定値（（（Ｐ２＋α）−Ｐ１）×β）に、圧力計４，１１の計器感度やプロセス圧力Ｐ１の細かな変動による制御ハンチングの防止を考慮して不感帯（非加算上下限設定値）のフィルタを設けるとともに、目標設定値が圧縮機２等の設備能力の限界を超えた圧力制御の目標設定値にならないように加算上下限設定値のフィルタを設け、加えて、最終出力する圧力制御の目標設定値ＳＰにも、圧力制御の目標設定値の上下限設定値のフィルタを設けている。
【００２７】
図３は、上記実施形態の圧力制御方法における横軸に示す時間経過に伴う目標設定値ＳＰの変更の不感帯および上下限を示す特性線図であり、フィルタ通過後は非加算上下限設定値の間では不感帯となり、フィルタ通過前の変化に係らず、数値が０になる。また、フィルタ通過後は加算上下限設定値より上下では一定になり、フィルタ通過前の変化に係らず、数値がそれら加算上下限設定値になる。
【００２８】
実際に上記実施形態の圧力制御方法を用いて制御した図１の圧送設備の圧縮機２の吐出流量Ｑ、圧力制御の目標設定値ＳＰ、圧力制御の目標地点のプロセス圧力Ｐ１、およびガスの混入先の混合ガスライン１０のガス圧力Ｐ２の推移のトレンドグラフを図５および図６に示す。
【００２９】
図５は、α＝１．５、β＝０に設定した比較例のトレンドグラフである。混入先の混合ガスライン１０へのガス流量を＋２０ｋＮｍ３／Ｈ増やしたタイミングが、トレンドグラフの横軸の０秒である。混入先へのガス流量が増えたことで、圧縮機２の圧力制御の目標地点のプロセス圧力Ｐ１が下がり出し、圧縮機２の圧力制御の目標設定値ＳＰと圧縮機２の圧力制御の目標地点のプロセス圧力Ｐ１に差が生じたことで、圧縮機２の圧力制御によって圧縮機２の吐出流量Ｑが増加していることがわかる。この比較例の場合、圧縮機２の吐出流量Ｑが８０ｋＮｍ３／Ｈから１００ｋＮｍ３／Ｈまで増えるのに要した時間は１８４秒であった。また、混入先のガス圧力Ｐ２より常に１．５ｋＰａ高い値が、圧縮機２の圧力制御の目標設定値ＳＰとなっていることが分かる。αの値は、混入先へのガス流量を増やした場合に、圧縮機２の圧力制御の目標地点のプロセス圧力Ｐ１の下がった値よりも混入先のガス圧力Ｐ２が低い値になるようにすることを考慮して設定する必要がある。そしてその値はできるだけ小さい方が好ましい。
【００３０】
図６は、α＝１．５、β＝１．５に設定した実施例のトレンドグラフである。混入先の混合ガスライン１０へのガス流量を＋２０ｋＮｍ３／Ｈ増やしたタイミングが、トレンドグラフの横軸の０秒である。混入先へのガス流量が増えたことで、圧縮機２の圧力制御の目標地点のプロセス圧力Ｐ１が下がり出し、混入先のガス圧力Ｐ２にαを加算した基本設定値（Ｐ２＋α）と、圧縮機２の圧力制御の目標地点のプロセス圧力Ｐ１との差に乗算係数値βをかけた値を、混入先のガス圧力Ｐ２にαを加算した基本設定値（Ｐ２＋α）に加算した値を、圧縮機２の圧力制御の目標設定値ＳＰとすることによって、圧縮機２の圧力制御の目標設定値ＳＰが一時的に高くなり、圧縮機２の圧力制御の目標設定値ＳＰと圧縮機２の圧力制御の目標地点のプロセス圧力Ｐ１との差が図５のトレンドグラフに比べてより大きくなっていることが分かる。この実施例の場合、圧縮機２の圧力制御により圧縮機２の吐出流量Ｑが８０ｋＮｍ３／Ｈから１００ｋＮｍ３／Ｈまで増加するのに要した時間は１３８秒で、図５のトレンドグラフに比べて４６秒早くなっており、圧縮機２の吐出流量Ｑの推移の傾きからも分かるように、圧縮機２の応答性が向上した良好な圧力制御結果を得ることができた。
【００３１】
また、この実施例によれば、圧縮機２の圧力制御の目標設定値ＳＰと圧縮機２の圧力制御の目標地点のプロセス圧力Ｐ１にさほど差が無い場合は、混入先のガス圧力Ｐ２よりも常に１．５ｋＰａ高い値が圧縮機２の圧力制御の目標設定値ＳＰとなっていることが分かる。αの値は、混入先へのガス流量を増やした場合に、圧縮機２の圧力制御の目標地点のプロセス圧力Ｐ１の下がった値よりも混入先のガス圧力Ｐ２が低い値になるようにすることを考慮して設定する必要があり、そしてその値は出来るだけ小さい方が好ましく、例えば、運用の中で混入先へのガス流量を増やした場合に、圧縮機２の圧力制御の目標地点のプロセス圧力Ｐ１が最大で１.４ｋＰａ下がるのであれば、１．６≧α＞１．４とすることが好ましい。また、βの値は、圧縮機２の応答性向上を図るためには大きい方が好ましいが、設備仕様や制御性（オーバーシュート等）を考慮して設定する必要があり、例えば、β＝１．６で、インバータの速度変化レイトの上限に達したり、圧縮機の振動上昇が見受けられたりするのであれば、１．６＞β≧１．４とすることが好ましい。
【００３２】
以上、図示例に基づき説明したが、この発明は上述の例に限られるものでなく、所要に応じて特許請求の範囲の記載範囲内で適宜変更し得るものであり、例えば、上記実施形態の圧力制御方法は、圧縮機２が複数台あった場合に、上述の如くして求めた圧力制御の目標設定値ＳＰをマスター圧力制御目標設定値とし、それを各単体の圧縮機２用の制御に分配して用いることもできる。また、圧縮機２で圧縮するガスの圧送先は、工場等の使用先１２に混合ガスを供給する混合ガスライン１０に限られず、他の種類の設備でもよい。
【産業上の利用可能性】
【００３３】
かくして本発明の圧縮機の圧力制御方法および圧力制御装置によれば、圧縮機の圧力制御において圧縮ガスの圧送先のガス圧力が変動する場合でも省エネルギー化を図ることができ、かつ圧縮機の応答性を向上させることができる。
【符号の説明】
【００３４】
１  ガス圧送配管
２  圧縮機（ＣＭＰ）
３，８  吐出弁
４，１１  圧力計
５  圧力指示調節計（ＰＩＣ）
６  インバータ（ＩＮＶ）
７  流量計
９  流量指示調節計（ＦＩＣ）
１０  混合ガスライン（ＭＧＬ）
１２  使用先（ＵＳＲ）
１３  コンピュータ
ＳＰ  圧力制御の目標設定値
Ｐ１  圧力制御の目標地点のプロセス圧力
Ｐ２  混合ガスライン（圧送先）のガス圧力
α  加算設定値
β  乗算係数値
【図１】
2020143641.tif 000004
【図２】
2020143641.tif 000005
【図３】
2020143641.tif 000006
【図４】
2020143641.tif 000007
【図５】
2020143641.tif 000008
【図６】
2020143641.tif 000009